(57)【特許請求の範囲】
【請求項１】
上端に開口部を有し、内側に災害救助用具が収納されたケース本体と、当該ケース本体の開口部を開閉する蓋部とを有する災害救助用具収納ケースと、
前記災害救助用具収納ケースが設置されていることを識別表示する標識が表面に設けられた箱状のフレームと、
前記標識を照明する標識用照明灯と、
前記災害救助用具収納ケースのケース本体の少なくとも前記開口部を照明する下部照明灯と、
蓄電池と、当該蓄電池を充電する太陽電池とを有し、夜間時に前記蓄電池から前記照明灯に電源を供給して前記標識用照明灯および下部照明灯を点灯させる電源部と、
前記災害救助用具収納ケースの近傍において、前記災害救助用具収納ケースよりも上方に延びて、当該災害救助用具収納ケースよりも上方において前記太陽電池と前記フレームと前記標識用照明灯と前記下部照明灯とを支持する照明用支柱とを備え、
前記太陽電池は、前記照明用支柱の上端に設けられており、前記フレームは、前記照明用支柱のうち前記太陽電池よりも下方の部分に設けられており、前記標識用照明灯は、前記フレーム内に、前記フレームの表面に向かって光を照射する姿勢で収容されており、下部照明灯は、前記標識用照明灯よりも下方において下方に向かって光を照射する姿勢で設けられていることを特徴とする災害救助設備。
【請求項２】
請求項１に記載の災害救助設備において、
道路沿いに互いに所定の間隔で立設された複数の支柱と、前記道路と略平行に延びて前記支柱に連設される複数のパイプとを有する歩道柵を備え、
前記照明用支柱は、前記支柱間に配置されるとともに、前記パイプの少なくとも一部が固定されるパイプ固定部を有し、
前記パイプの少なくとも一部は、前記パイプ固定部に固定されることで、前記照明用支柱とこの照明用支柱に隣接する前記支柱との間で架設されることを特徴とする災害救助設備。
【請求項３】
請求項１または２に記載の災害救助設備において、
前記電源部は、前記蓄電池から前記照明灯への電力量を制御する制御部とを有し、
前記制御部は、日射量に基づいて昼夜を判別する昼夜判別部を備えるとともに、この昼夜判定部の判別結果に基づいて前記蓄電池から前記照明灯への電力量を決定することを特徴とする災害救助設備。
【請求項４】
請求項３に記載の災害救助設備において、
前記災害救助用具収納ケースのケース本体は、その底部に前記蓄電池と前記制御部とを収容可能な蓄電池収容部を備え、
前記電源部のうち前記蓄電池と前記制御部とは前記蓄電池収容部に収容される一方、前記太陽電池は前記照明用支柱に支持されることを特徴とする災害救助設備。
【発明の詳細な説明】
【技術分野】
【０００１】
本発明は、負傷者を救助するための災害救助用具が収納された災害救助用具収納ケースを備える災害救助設備に関する。
【背景技術】
【０００２】
災害時には負傷者等を救助するためにバールやシャベル等の災害救助用具が必要な場合がある。これらの災害救助用具は、従来、所定のケースに収納されて所定の場所に保管されている。例えば、消防倉庫など地域の決められた建物の内部に保管されている場合が挙げられる。
【０００３】
また、特許文献１には、住宅の外壁に収納ユニットが埋め込まれており、この収納ユニットに前記災害救助用具が収納されたものが開示されている。この収納ユニットは、縦長直方体の箱体であって、屋外に開口する開口部を有している。そして、その内側に、給湯器設備と前記災害救助用具が収納されており、屋外からこの災害救助用具が取り出せるよう構成されている。
【特許文献１】特許第２９９６４３７号公報
【発明の開示】
【発明が解決しようとする課題】
【０００４】
前記災害救助用具は、災害発生時にその保管場所がすぐ見つけられ、かつ、収納されているケースから迅速に取り出される必要がある。しかし、夜間に、この作業を行うのは困難である。特に、夜間に停電が発生した場合には、前記災害救助用具の保管場所の視認がさらに困難となる上、前記取り出し作業がより一層困難になる。また、災害救助用具が保管されている建物の配置等を熟知していない他人が停電下で前記作業を行うのは非常に困難であり、救助作業が遅れてしまうおそれがある。
【０００５】
本発明は、かかる事情に鑑み、災害時における災害救助用具の保管場所の早期の認識と、この災害救助用具の取り出しとを有効に援助できる災害救助設備の提供を目的とする。
【課題を解決するための手段】
【０００６】
前記課題を解決するための請求項１に係る発明は、上端に開口部を有し、内側に災害救助用具が収納されたケース本体と、当該ケース本体の開口部を開閉する蓋部とを有する災害救助用具収納ケースと、前記災害救助用具収納ケースが設置されていることを識別表示する標識が表面に設けられた箱状のフレームと、前記標識を照明する標識用照明灯と、前記災害救助用具収納ケースのケース本体の少なくとも前記開口部を照明する下部照明灯と、蓄電池と、当該蓄電池を充電する太陽電池とを有し、夜間時に前記蓄電池から前記照明灯に電源を供給して前記標識用照明灯および下部照明灯を点灯させる電源部と、前記災害救助用具収納ケースの近傍において、前記災害救助用具収納ケースよりも上方に延びて、当該災害救助用具収納ケースよりも上方において前記太陽電池と前記フレームと前記標識用照明灯と前記下部照明灯とを支持する照明用支柱とを備え、前記太陽電池は、前記照明用支柱の上端に設けられており、前記フレームは、前記照明用支柱のうち前記太陽電池よりも下方の部分に設けられており、前記標識用照明灯は、前記フレーム内に、前記フレームの表面に向かって光を照射する姿勢で収容されており、下部照明灯は、前記標識用照明灯よりも下方において下方に向かって光を照射する姿勢で設けられていることを特徴とするとものである（請求項１）。
【０００７】
この設備によれば、夜間での照明が前記災害救助用具収納ケースの存在場所の認識と、この災害救助用具収納ケースからの前記災害救助用具の取り出しを容易にする。具体的には、前記蓄電池から前記照明灯への給電により、停電の有無に関わらず前記照明灯が点灯される。そして、この照明灯による前記標識の照明により前記災害救助用具収納ケースの位置が明確に示され、さらに、前記照明灯による前記ケース本体の開口部の照明が前記災害救助用具収納ケースからの前記災害救助用具の取り出しを援助する。
【０００９】
このようにすれば、前記照明用支柱の設置により、簡素な構造で、前記標識および照明灯を適切な位置に支持することができる。
【００１１】
このようにすれば、前記標識および照明灯のより遠方からの視認が可能となり、前記災害救助用具収納ケースの位置の把握がより一層容易になる。さらに、上方からの照明により、前記災害救助用具収納ケースからの用具の取り出しが容易になる。
【００１２】
また、道路沿いに互いに所定の間隔で立設された複数の支柱と、前記道路と略平行に延びて前記支柱に連設される複数のパイプとを有する歩道柵を備え、前記照明用支柱は、前記支柱間に配置されるとともに、前記パイプの少なくとも一部が固定されるパイプ固定部を有し、前記パイプの少なくとも一部は、前記パイプ固定部に固定されることで、前記照明用支柱とこの照明用支柱に隣接する前記支柱との間で架設されるのが好ましい（請求項２）。
【００１３】
このようにすれば、前記照明用支柱が前記歩道柵の一部として構成され、周囲の景観が損なわれるのが抑制されるとともに、この照明用支柱の設置のために別途場所を確保する必要がなくなる。また、前記照明用支柱が前記パイプを介して前記支柱に連設されるので、このパイプと支柱とが前記照明用支柱を安定して支持する。
【００１５】
また、本発明において、前記電源部は、前記蓄電池から前記照明灯への電力量を制御する制御部とを有し、前記制御部は、日射量に応じて昼夜を判別する昼夜判別部を備えるとともに、この昼夜判定部の判別結果に基づいて前記蓄電池から前記照明灯への電力量を決定するのが好ましい（請求項３）。
【００１６】
このようにすれば、前記災害救助用具収納ケースの設置場所が限定されない。また、蓄電池を充電する作業が不要になり、設備管理が容易となる。
【００１７】
また、本発明において、前記災害救助用具収納ケースは、その底部に前記蓄電池と前記制御部とを収容可能な蓄電池収容部を備え、前記電源部のうち前記蓄電池と前記制御部とは前記蓄電池収容部に収容される一方、前記太陽電池は前記照明用支柱に支持されるのが好ましい（請求項４）。
【００１８】
このようにすれば、前記太陽電池に太陽光を効率よく照射することができるとともに、前記蓄電池等の管理が容易になる。
【発明の効果】
【００１９】
以上説明したように、本発明によれば、停電時においても、災害救助用具の保管場所の早期の認識と、この災害救助用具の取り出しとを有効に援助することのできる災害救助設備を提供することができる。
【発明を実施するための最良の形態】
【００２０】
以下、本発明の好ましい第一の実施形態について図面を参照して説明する。
【００２１】
図１は本発明の第一の実施形態に係る災害救助設備１０の正面図、図２は図１のＡ−Ａ線断面図、図３は図１の側面図、図４は図１の概略部分拡大図である。
【００２２】
本災害救助設備１０は、道路Ｒ沿いに設置された歩道柵１と、災害救助用具収納ケース３０と、照明用支柱２０と、照明灯２２と、標識パネル（標識）２４と、電源部４０とを有している。図１に示すように、前記災害救助用具収納ケース３０は、前記歩道柵１の一部として道路Ｒ沿いに設置されており、前記照明用支柱２０は、この災害救助用具収納ケース３０の近傍に立設されている。また、この照明用支柱２０の上端付近には、前記災害救助用具収納ケース３０の上方となる位置に、前記照明灯２２と標識パネル２４とが取り付けられている。具体的には、照明用支柱２０の上端付近にフレーム２３が取り付けられており、このフレーム２３に前記照明灯２２、前記標識パネル２４が固定されている。また、前記照明用支柱２０の上端には、後述するように、前記電源部４０に含まれる太陽電池パネル（太陽電池）４２が取り付けられている。
【００２３】
前記災害救助用具収納ケース３０は、災害救助機材（災害救助用具）を収容するためのものである。この災害救助機材としては、例えば、バール、ジャッキ、大型クリッパー、モンキーレンチ、担架布等が上げられる。この災害救助用具収納ケース３０は、図４に示すように、ケース本体３１と蓋部３２とケース側パイプ固定部３３とを有している。
【００２４】
前記ケース本体３１は、上端に開口部を有する箱状部材であり、その内側に前記災害救助機材が収納されている。このケース本体３１は、その下端部が地面に埋め込まれた状態で、道路Ｒ沿いに立設されている。また、このケース本体３１の正面には、前記災害救助機材が収納されていることを示す文字表示（図１における「災害救助機材格納」なる表示）がなされている。
【００２５】
このケース本体３１の底部には、蓄電池収容部３１ａが設けられている。この蓄電池収容部３１ａは、前記電源部４０のうち後述するバッテリー（蓄電池）４４と制御部５０とを収容するためのものである。この蓄電池収容部３１ａの側面には、前記制御部５０に接続された電線４１を前記ケース本体３１の外部に導くための配線孔３１ｂが形成されている。そして、前記電線４１は、この配線孔３１ｂを通って前記太陽電池パネル４２等へと配索されている。
【００２６】
前記蓋部３２は、前記ケース本体３１の開口部を開閉するものである。本実施形態では、この蓋部３２は、中央部分が上方に突出する形状を有しており、雨水がたまらないように、また、蓋部３２の上面に空き瓶や空き缶等が放置されないように構成されている。この蓋部３２は、図４に示すように、ヒンジ部３２ａによって前記ケース本体３１に回動可能に取り付けられている。また、この蓋部３２は、通常は、前記ヒンジ部３２ａの反対側に設けられたラッチ３２ｂにより閉じられている。従って、前記ケース本体３１から前記災害救助機材を取り出すためには、前記ラッチ３２ｂを外して前記蓋部３２を回動させる。そして、前記ケース本体３１の上端の開口部から所望の災害救助機材を探し出すという作業が必要になる。
【００２７】
前記ケース側パイプ固定部３３は、前記ケース本体３１の側面に複数設けられている。このケース側パイプ固定部３３は、前記歩道柵１を構成する後述する通常パイプ４および担架布支持パイプ５を支持するためのものであり、このケース側パイプ固定部３３に前記通常パイプ４および担架布支持パイプ５の一方端がそれぞれボルト等により固定される。
【００２８】
前記標識２４は、前記災害救助用具収納ケース３０の設置場所を識別表示するためのものである。この標識２４は、略長方形の形状を有する二枚の板状部材からなる。この標識２４は、前記照明用支柱２０の上端付近であって前記災害救助用具収納ケース３０の上方となる位置に取り付けられている。具体的には、前記照明用支柱２０の上端付近に取り付けられた略直方体のフレーム２３の表裏に、各標識２４が固定されている。本実施形態では、図１に示すように、これら標識２４の表面に前記災害救助機材を示す図および文字表示がなされており、これら標識２４は、この表示によって下方に災害救助機材が保管されていることを示している。
【００２９】
前記照明灯２２は、前記標識２４と、災害救助用具収納ケース３０およびその周囲とを照明するものである。この照明灯２２は、主に下方に向かって光を発し、前記災害救助用具収納ケース３０およびその周囲を照明する下部照明灯２２ａと、主に側方に向かって光を発し、前記標識２４を照明する６つの標識用照明灯２２ｂとで構成されている。これら下部照明灯２２ａと標識用照明灯２２ｂとはいずれも、夜間に前記電源部４０から給電されることで点灯する。また、これら下部照明灯２２ａと標識用照明灯２２ｂとは、前記照明用支柱２０に取り付けられた前記フレーム２３のうち前記２枚の標識２４に挟まれた部分に取り付けられている。より詳細には、前記下部照明灯２２ａは、前記フレーム２３の下端部であって、前記災害救助用具収納ケース３０のケース本体３１の開口部の真上に設けられており、ケース本体３１の開口部ひいてはケース本体３１の内側に照明光が効率よく導光されるように取り付けられている。そして、前記６つの標識用照明灯２２ｂは、前記フレーム２３の上端部に互いに等間隔となるように取り付けられている。これら下部照明灯２２ａと標識用照明灯２２ｂの具体的な種類は特に限定されるものではないが、例えば、ＬＥＤが挙げられる。
【００３０】
前記電源部４０は、前記照明灯２２に給電するものである。この電源部４０は、図５に示すように、太陽電池パネル４２（太陽電池）と、バッテリー（蓄電池）４４と、制御部５０とを有している。
【００３１】
前記太陽電池パネル４２は、その表面に複数の発電素子が敷きつめられた板状部材であり、太陽光を受けて電力を発生させる。この太陽電池パネル４２は、太陽光を効率よく受光できるように水平面に対して傾斜した状態で前記照明用支柱２０の上端に固定されている。この太陽電池パネル４２は、前記バッテリー４４に接続されており、この太陽電池パネル４２で発生した電力は、前記バッテリー４４に蓄電される。
【００３２】
前記バッテリー４４は、前述のように、前記太陽電池パネル４２で発生した電力を蓄電するとともに、前記下部照明灯２２ａと標識用照明灯２２ｂとで構成された照明灯２２に給電するものである。
【００３３】
前記制御部５０は、前記太陽電池パネル４２から前記バッテリー４４への給電状態および前記バッテリー４４から前記照明灯２２への給電状態を制御するためのものである。この制御部５０は、図５に示すように、過充電防止制御部５２と、放電許可判定部５４と、ＤＣ−ＤＣコンバータ４６とを有している。また、この放電許可判定部５４は、過放電防止制御部５６、昼夜判定部５７、消費電力制御部５８とを有している。この制御部５０は、前記バッテリー４４に接続された状態で、このバッテリー４４とともに前記蓄電池収容部３１ａ内に収容されている。
【００３４】
前記ＤＣ−ＤＣコンバータ４６は、前記バッテリー４４から前記照明灯２２へ供給される電圧を適切な値に変換するものである。具体的には、このＤＣ−ＤＣコンバータ４６は、バッテリー４４から供給された１２Ｖの電圧を２４Ｖに変換して照明灯２２に供給する。
【００３５】
前記過充電防止制御部５２は、前記バッテリー４４の過充電を防止するものである。この過充電防止制御部５２は、前記バッテリー４４の電圧を検出し、この電圧値が所定値以下であるかどうかを判定する。そして、この電圧が所定値以下の場合には、前記太陽電池パネル４２から前記バッテリー４４への給電を許可する一方、前記電圧が所定値より大きくなった場合には、前記バッテリー４４が飽和状態であると判断して、前記太陽電池パネル４２からバッテリー４４への給電を停止する。
【００３６】
前記昼夜判定部５７は、日射量に基づいて昼夜を判定するものである。この昼夜判定部５７は、前記太陽電池パネル４２で発生した電圧値を検出し、この電圧値が所定値未満であるかどうかを判定する。そして、この電圧値が所定値未満の場合には、太陽電池パネル４２への日射量が少ない、すなわち、夜間であると判断して、バッテリー４４から前記照明灯２２への給電を行う。一方、前記太陽電池パネル４２で発生した電圧値が所定値以上の場合には、昼間であると判断して、前記照明灯２２への給電を停止する。
【００３７】
ここで、深夜の数時間は、周囲が暗くなることで照明灯２２の光量が小さくとも十分な視認性が確保されることが分かっている。そこで、本実施形態では、前記消費電力制御部５８により、深夜の数時間だけ前記バッテリー４４から前記照明灯２２への給電量を減少させている。すなわち、この消費電力制御部５８は、タイマー等により現在時刻が前記深夜に該当するかどうかを判定する。そして、深夜であると判定した場合に、前記バッテリー４４から照明灯２２への給電量を予め設定された値に減少させる。
【００３８】
前記過放電防止制御部５６は、前記バッテリー４４からの過放電を防止するものである。この過放電防止制御部５６は、バッテリー４４の電圧を検出し、この電圧値が所定値未満であるかどうかを判定する。そして、この電圧が所定値未満の場合には、過放電であると判断して、バッテリー４４から前記照明灯２２への給電量を減少させる。
【００３９】
このようにして、前記過放電防止制御部５６、前記昼夜判定部５７および前記消費電力制御部５８を有する前記放電許可判定部５４は、各制御部５６，５８および昼夜判定部５７からの信号に基づき、照明灯２２への給電を許可するかどうかを決定するとともにその給電量を決定する。
【００４０】
前記放電許可判定部５４にて給電が許可されると、前記バッテリー４４から前記ＤＣ−ＤＣコンバータ４６に電力が供給され、このＤＣ−ＤＣコンバータ４６にて電圧変換が行われた後、前記照明灯２２に電力が供給される。給電された照明灯２２は、点灯し、前記標識２４および前記災害救助用具収納ケース３０を照明する。
【００４１】
ここで、前記バッテリー４４は、前記太陽電池パネル４２からの電力を蓄電しており、この太陽電池パネル４２からの送電の有無に関わらず、さらには、発電所からの送電の有無に関わらず、前記照明灯２２に給電することができる。その結果、夜間時に前記発電所からの送電が停止し、停電が発生した場合にも前記照明灯２２は点灯し続けることができる。すなわち、停電の有無に関わらず、前記照明灯２２に照明された前記標識２４は前記災害救助用具収納ケースの位置を明確に示すことができ、この照明灯２２の照明光は、前記災害救助用具収納ケース３０を照明することで、この災害救助用具収納ケース３０からの前記災害救助機材の取り出しを援助することができる。
【００４２】
前記照明用支柱２０は、前述のように前記照明灯２２、前記標識２４および前記太陽電池パネル４２を支持するものである。この照明用支柱２０は、所定の方向に延びる円柱状を有している。この照明用支柱２０は、その一端が地中に埋設されることで前記災害救助用具収納ケース３０の近傍にこの災害救助用具収納ケース３０の上方に延びるように立設されている。この照明用支柱２０の上端付近には、前記フレーム２３が取り付けられている。そして、この照明用支柱２０は、前記フレーム２３に前記照明灯２２および標識２４が固定されることで、このフレーム２３を介して照明灯２２等を支持する。ここで、前記フレーム２３は、略直方体の箱状部材であり、前述のように、その内側に前記照明灯２２等を収納可能な形状を有している。また、この照明用支柱２０は、その上端に前記太陽電池パネル４２を固定するための固定部を有しており、この固定部に前記太陽電池パネル４２が固定されることで、当該太陽電池パネル４２を支持する。
【００４３】
また、前記照明用支柱２０の内側には、前記太陽電池パネル４２と前記制御部５０とを接続する電線４１、および、前記照明灯２２と前記制御部５０とを接続する電線４１とが配索されている。すなわち、前記蓄電池収容部３１ａ内に収容された前記制御部５０に接続された電線４１は、前記蓄電池収容部３１ａの側面に設けられた前記配線孔３１ｂを通って、前記照明用支柱２０の下端部にてこの照明用支柱２０の内側に入り、この照明用支柱２０の内側を通って前記照明灯２２および前記太陽電池パネル４２に接続されている。
【００４４】
この照明用支柱２０の長さ等は特に限定されるものではないが、図１に示す例では、この照明用支柱２０は、前記災害救助用具収納ケース３０の近傍に立設された状態で、その上端が地面から３ｍ程度の高さに位置するような長さを有しており、この上端に固定された前記太陽電池パネル４２に効率よく太陽光が照射するよう構成されている。また、この例では、前記照明灯２２等が収容される前記フレーム２３が、地面から２．５ｍ程度の位置に設けられており、前記照明灯２２および前記標識２４の遠方からの視認性がより確実に確保されるよう構成されている。
【００４５】
前記歩道柵１は、自動車等から歩行者等を保護するために設けられるものであって、道路Ｒ沿いに設置されている。この歩道柵１は、複数の支柱２と複数のパイプとを有している。このパイプは、複数の通常パイプ４と複数の担架布支持パイプ５とを含んでいる。前記支柱２は路面上に立設されている。そして、本実施形態では、前記災害救助用具収納ケース３０は、この支柱２間に立設されている。
【００４６】
前記通常パイプ４は、歩道柵に一般的に使われているパイプである。この通常パイプ４は、前記支柱２間および前記支柱２と前記災害救助用具収納ケース３０との間に架設されている。具体的には、その一方端が前記支柱２に設けられた固定部に固定され、他端が前記支柱２の固定部あるいは前記災害救助用具収納ケース３０の側面に設けられた前記ケース側パイプ固定部３３に固定されている。
【００４７】
一方、前記担架布支持パイプ５は、担架を形成するためのパイプであって、特殊な長さのパイプである。例えば、歩道柵に一般的に用いられる前記通常パイプ４が約３ｍであるのに対して、この担架布支持パイプ５は約２．５ｍのものが使用される。この担架布支持パイプ５は、前記災害救助用具収納ケース３０と支柱２との間に架設されている。具体的には、この担架布支持パイプ５は、その一端が前記災害救助用具収納ケース３０の側面に設けられた前記ケース側パイプ固定部３３に着脱可能に固定され、他端がこの災害救助用具収納ケース３０に隣接する支柱２に着脱可能に固定されている。そして、この担架布支持パイプ５は、災害時に、前記ケース側パイプ固定部３３および支柱２から取り外され、前記災害救助用具収納ケース３０に収容されている担架布が取り付けられることで担架として形成される。
【００４８】
ここで、前述のように、前記担架布支持パイプ５は、前記災害救助用具収納ケース３０のケース側パイプ固定部３３に固定されており、災害救助用具収納ケース３０の近傍に設置されている。そのため、この担架布支持パイプ５にも、前記照明灯２２の照明光が照射される。このことは、停電の有無に関わらず、夜間の前記担架布支持パイプ５の取外し作業を容易にする。
【００４９】
次に、本発明の第二の実施形態について説明する。
【００５０】
図６は、本第二の実施形態に係る災害救助設備１１０の正面図、図７は図６のＢ−Ｂ線断面図である。
【００５１】
本災害救助設備１１０は、前記第一の実施形態と同様に、歩道柵１と、災害救助用具収納ケース１３０と、照明用支柱１２０と、照明灯２２と、標識２４と、電源部４０とを有している。ここで、前記歩道柵１、照明灯２２、標識２４、電源部４０についてはそれぞれ第一の実施形態と同様の構成を有しているので、説明を省略する。
【００５２】
なお、本実施形態では、参考として、前記災害救助用具収納ケース１３０のケース本体１３１の開口部およびこの開口部を覆う蓋部１３２がケース本体１３１の側面に設けられた場合について示している。また、この災害救助用具収納ケース１３０は、前記歩道柵１のパイプを固定するための固定部を有しておらず、歩道柵１の支柱２の間に通常パイプ４等が接続されない状態で立設されている。このケース本体１３１には、前記第一の実施形態と同様に、その下端部に前記電源部４０の一部を収容するための蓄電池収容部１３１ａが設けられている。
【００５３】
前記照明用支柱１２０は、略Ｕ字状に折り曲げられた形状を有しており、その両端が前記災害救助用具収納ケース１３０を挟み込むようにして地中に埋設されている。この照明用支柱１２０には、路面付近に前記歩道柵１の通常パイプ４および担架布支持パイプ５を固定する支柱側パイプ固定部（パイプ固定部）１２０ａが設けられている。そして、この照明用支柱１２０は、前記歩道柵１の前記支柱２間に配置されて、前記支柱側パイプ固定部１２０ａに前記通常パイプ４および担架布支持パイプ５が固定されることで、歩道柵１の一部として構成されている。すなわち、本第二の実施形態では、前記通常パイプ４および担架布支持パイプ５がこの照明用支柱１２０を支持する。
【００５４】
前記照明用支柱１２０の上端付近には、フレーム１２３ａ、照明支持フレーム１２３ｂ、デザインパネル１２５が取り付けられている。
【００５５】
前記フレーム１２３ａは、略直方体の箱状部材であり、その表裏に前記標識２４がそれぞれ固定されている。また、このフレーム１２３ａの内側には、前記照明灯２２のうち前記標識２４を照明するための標識用照明灯２２ｂが収容されている。
【００５６】
前記照明支持フレーム１２３ｂは、前記照明灯２２のうち前記下部照明灯２２ａを支持するものであり、前記フレーム１２３ａの下方に取り付けられている。前記照明灯２２は、この照明支持フレーム１２３ｂの略中央付近であって前記災害救助用具収納ケース１３０の真上に取り付けられている。
【００５７】
前記デザインパネル１２５は、その地域の標章や現在位置等を表示するものであり、前記照明支持フレーム１２３ｂの下方に取り付けられている。
【００５８】
そして、前記照明支持フレーム１２３ｂに取り付けられた前記照明灯２２は、その上方に設けられた前記標識１２４を照明するとともに、その下方に設けられた前記デザインパネル１２５および前記災害救助用具収納ケース１３０を照明する。
【００５９】
以上のように、本発明に係る災害救助設備１０，１１０では、前記災害救助用具収納ケース３０，１３０が設置されていることを識別表示する標識２４と、照明灯２２と、バッテリー４４とが設けられており、前記照明灯２２が、前記バッテリー４４からの給電によって停電の有無に関わらず前記標識および前記災害救助用具収納ケースとを照明するので、前記災害救助用具収納ケース３０，１３０の存在場所の認識が容易になるとともに、この災害救助用具収納ケース３０，１３０からの際が救助用具の取り出しが容易になる。
【００６０】
また、前記電源部４０、前記標識２４および前記照明灯２２を支持する照明用支柱２０，１２０が設けられていれば、この照明用支柱２０，１２０を前記災害救助用具収納ケース３０，１３０の近傍に設け、この照明用支柱２０，１２０に前記電源部４０等を取り付けるだけで、これら電源部４０等を適切な場所に支持することができる。
【００６１】
また、前記照明用支柱２０，１２０が前記災害救助用具収納ケース３０，１３０よりも上方に延びる形状であって、前記標識２４および前記照明灯２２がこの照明用支柱２０，１２０の上端付近に取り付けられていれば、前記標識２４および前記照明灯２２のより遠方からの視認が可能となり、前記災害救助用具収納ケース３０，１３０の位置の把握が一層容易になる。さらに、前記災害救助用具収納ケース３０，１３０が上方から照明されることで、この災害救助用具収納ケース３０，１３０からの前記災害救助機材の取り出しが一層容易になる。
【００６２】
また、前記第二の実施形態のように、前記照明用支柱１２０が歩道柵１の支柱２間に配置され、この照明用支柱１２０に歩道柵１の通常パイプ４および担架布支持パイプ５を固定する支柱側パイプ固定部１２０ａが設けられていれば、この照明用支柱１２０が歩道柵１の一部として構成されるので、周囲の景観が損なわれるのが抑制される。また、この照明用支柱１２０の設置のために別途場所を確保する必要がなくなるとともに、照明用支柱１２０が前記パイプ４および担架布支持パイプ５によって安定して支持される。さらに、前記照明灯２２に街路灯としての機能をもたせることが可能となり、防犯にも役立つ。
【００６３】
また、前記第一の実施形態のように、前記災害救助用具収納ケース３０の開口部が、前記ケース本体３１の上端に設けられており、前記照明灯２２がこのケース本体３１の内側を上方から照明する位置に取り付けられていれば、雨水等のケース本体３１への侵入が抑制されるとともに、ケース本体３１の内側の視認性が向上する。
【００６４】
また、前記電源部４０が、前記太陽電池パネル４２と、前記昼夜判定部４４を含む制御部５０とを有し、この太陽電池パネル４２で発生した電力により前記バッテリー４４が充電されれば、発電所からの送電がない場所であっても、この災害救助設備１０，１１０ひいては前記災害救助用具収納ケース３０，１３０の設置が可能になる。また、前記バッテリー４４を充電する作業が不要になり、設備管理が容易になる。
【００６５】
また、本実施形態では、前記災害救助設備１０，１１０が道路沿いに歩道柵１の一部として配置された場合について示したが、この災害救助設備１０，１１０の設置場所はこれに限らない。
【００６６】
また、照明灯２２の形状や取り付け位置は前記に限らず、前記照明灯２２が少なくとも前記標識２４と前記災害救助用具収納ケース３０，１３０のケース本体３１，１３１の開口部を照明するよう構成されていればよい。ここで、ケース本体３１，１３１の開口部とは、前記蓋部３２が開口された状態における前記ケース本体３１，１３１の開口部であり、前記蓋部３２が閉じた状態では、この蓋部３２のうち前記ケース本体３１，１３１を覆う部分になる。
【００６７】
また、図８に示すように、照明用支柱２０の上端に、垂直方向の断面積が台形であって下方に向かうほど水平方向の断面積が小さくなる箱状のフレーム２２３を取り付け、このフレーム２２３に、下方に向かうほど水平方向の断面積が小さくなる下部照明灯２２２ａを取り付けるようにしてもよい。このようにすれば、下部照明灯２２２ａの照明光が効率よく下方に照射され、前記災害救助用具収納ケース３０を効率よく照明できる。
【００６８】
さらに、前記フレームとしては、図９に示すように、その上端が、内側に向かうほど上方に突出するような傾斜部３２３ａで構成されたものでもよい。このフレーム３２３によれば、前記傾斜部３２３ａがフレーム３２３の上面に雪を積もってしまうのを抑制するので、この雪によるフレーム３２３の破損等が抑止される。
【００６９】
また、前記標識２４を主に照明する標識用照明灯２２ｂと、前記災害救助用具収納ケース３０，１３０を主に照明する下部照明灯２２ａとを個別に設けることなく、特定の照明灯２２によって、前記標識２４と前記災害救助用具収納ケース３０，１３０を同時に照明するようにしてもよい。
【００７０】
また、前記標識２４や前記災害救助用具収納ケース３０，１３０の形状は前記に限らない。また、前記照明用支柱２０，１２０は省略可能である。例えば、建物の壁面に前記照明灯２２等が固定されていてもよい。
【００７１】
また、前記バッテリー４４の充電方法は前記に限らず、前記太陽電池パネル４２およびＤＣ−ＤＣコンバータ４６等は省略可能である。
【図面の簡単な説明】
【００７２】
【図１】本発明の第一の実施形態に係る災害救助設備の正面図である。
【図２】図１のＡ−Ａ線断面図である。
【図３】図１の側面図である。
【図４】図１の部分拡大図である。
【図５】図１に示す電源部のブロック図である。
【図６】本発明の第二の実施形態に係る災害救助設備の正面図である。
【図７】図７のＢ−Ｂ線断面図である。
【図８】図１に示すフレームの変形例の概略斜視図である。
【図９】図１に示すフレームの変形例の概略斜視図である。
【符号の説明】
【００７３】
１  歩道柵
２  支柱
１０  災害救助設備（第一の実施形態）
２０  照明用支柱
２２  照明灯
２２ａ  下部照明灯
２２ｂ  標識用照明灯
２３  フレーム
２４  標識
３０  災害救助用具収納ケース
３１  ケース本体
３２  蓋部
４０  電源部
４２  太陽電池パネル（太陽電池）
４４  バッテリー（蓄電池）
５０  制御部
５７  昼夜判定部
１１０  災害救助設備（第二の実施形態）
１２０  照明用支柱
１２０ａ  支柱側パイプ固定部（パイプ固定部）
１２２  照明灯
１３０  災害救助用具収納ケース
２２３  フレーム（他の実施形態）
３２３  フレーム（他の実施形態）
【図１】
0005033504.tif 000002
【図２】
0005033504.tif 000003
【図３】
0005033504.tif 000004
【図４】
0005033504.tif 000005
【図５】
0005033504.tif 000006
【図６】
0005033504.tif 000007
【図７】
0005033504.tif 000008
【図８】
0005033504.tif 000009
【図９】
0005033504.tif 000010